(57)【要約】【課題】長期間に亘って使用した場合でも皮膚に悪影響を与えることがない上、人体との密着度合いが変化せず、抗菌や血行の促進等の効果を効率良く発現させることが可能であり、長期間に亘って良好な外観を呈する装身具を提供する。【解決手段】アームバンド１は、長尺帯状に形成されており長手方向と直交する方向の断面が円弧状となるように湾曲した金属板３と、光触媒物質（二酸化チタン）が付着された布状体４と、金属板３および布状体４を収納するための収納ケース２とによって構成されている。そして、布状体４が、収納ケース２内で、金属板３の外向きに凸な面上に積層された状態になっている。【選択図】図２
2008113966.tif 000002
【特許請求の範囲】
【請求項１】
長尺帯状に形成されており、長手方向と直交する方向の断面が円弧状となるように湾曲した金属板と、
光触媒物質が付着された布状体と、
前記金属板および前記布状体を収納するための収納ケースとからなり、
前記布状体が、前記収納ケース内で前記金属板の外向きに凸な面上に積層された状態になっていることを特徴とするアームバンド。
【請求項２】
布状体が、２枚の不織布を積層したものであり、それらの不織布同士の間に光触媒物質が挟み込まれた状態になっていることを特徴とする請求項１に記載のアームバンド。
【請求項３】
収納ケースの外面に蛍光塗料が塗布されていることを特徴とする請求項１、または請求項２に記載のアームバンド。
【発明の詳細な説明】
【技術分野】
【０００１】
本発明は、光触媒機能を有する物質を用いた装身具に関するものである。
【背景技術】
【０００２】
従来より、太陽光線や蛍光灯の紫外線が当たると光触媒反応を起こして雑菌等を分解する機能を有する光触媒物質の存在が知られており、そのような光触媒物質として、二酸化チタン等の物質が知られている。また、かかる光触媒物質については、血行の促進等、人体に対する良好な影響も報告されている。それゆえ、光触媒物質を人体に作用させるべく、二酸化チタン薄膜をコーティングしたネックレスやブレスレット等の装身具が考案されている（特許文献１）。
【０００３】
【特許文献１】実用新案登録第３１１６９６５号公報
【発明の開示】
【発明が解決しようとする課題】
【０００４】
しかしながら、上記した二酸化チタン薄膜をコーティングしたネックレスやブレスレットを用いた場合には、長時間に亘って使用すると、皮膚に対して悪影響を及ぼすおそれがある。また、使用中には、それらの装身具と人体との密着度合いが大きく変化するため、抗菌や血行の促進等の効果を効率良く発現させることが困難である。さらに、二酸化チタン薄膜をコーティングしたネックレスやブレスレットを長時間に亘って使用した場合には、コーティングされた二酸化チタンの薄膜が脱離してしまい、外観が悪くなるばかりか、抗菌や血行の促進等の効果を発揮し得なくなる。
【０００５】
本発明の目的は、上記従来の光触媒物質を利用した装身具が有する問題点を解消し、長期間に亘って使用した場合でも皮膚に悪影響を与えることがない上、人体との密着度合いが変化せず、抗菌や血行の促進等の効果を効率良く発現させることが可能であり、長期間に亘って良好な外観を呈する装身具を提供することにある。
【課題を解決するための手段】
【０００６】
かかる本発明の内、請求項１に記載された発明は、長尺帯状に形成されており、長手方向と直交する方向の断面が円弧状となるように湾曲した金属板と、光触媒物質が付着された布状体と、前記金属板および前記布状体を収納するための収納ケースからなり、前記布状体が、前記収納ケース内で前記金属板の外向きに凸な面上に積層された状態になっていることを特徴とするアームバンドである。
【０００７】
本発明における光触媒物質とは、光（紫外線）を吸収するとマイナスイオンを発生させる二酸化チタン等の物質のことを言う（以下、この光触媒物質が有する光の吸収によりマイナスイオンを発生させる作用を光触媒作用という）。また、光触媒物質を付着させる方法としては、金属またはセラミックスの表面に向けてチタンまたはチタン合金からなる粉体を高速で噴射し、金属等の表面と衝突して加熱された粉体を不織布に付着させて不織布上にチタニア被膜を形成させる方法を好適に用いることができる。
【０００８】
請求項２に記載された発明は、請求項１に記載された発明において、布状体が、２枚の不織布を積層したものであり、それらの不織布同士の間に光触媒物質が挟み込まれた状態になっていることを特徴とするものである。
【０００９】
請求項３に記載された発明は、請求項１、または請求項２に記載された発明において、収納ケースの外面（金属板の外向きに凹な面と同じ側の外面）に蛍光塗料が塗布されていることを特徴とするものである。
【発明の効果】
【００１０】
請求項１に記載のアームバンドは、光触媒物質を付着させた不織布が収納ケースに内蔵されているため、長期間に亘って使用した場合でも皮膚に悪影響を与えることがない。また、内蔵された光触媒物質と人体との密着度合いが変化せず、抗菌や血行の促進等の効果を効率良く発現させることが可能である。さらに、光触媒物質が収納ケースに内蔵された状態になっているため、長期間に亘って使用した場合でも外観が悪化したりしない。加えて、請求項１に記載のアームバンドは、内蔵された金属板が、直線状からコイル状へ変化する板バネとして機能するため、金属板の外向きに凸な面が下側になるように片端縁を把持して、手首（あるいは足首）と交差するように適度な力で押し当てることによって、手首（あるいは足首）の周囲に容易に装着することができる。さらに、請求項１に記載のアームバンドは、内蔵された金属板がコイル状となって手首や足首に装着されるものであるため、手首や足首の太さに関係なく、良好なフィット感を供与することができる。
【００１１】
また、請求項２に記載のアームバンドは、２枚の不織布同士の間に光触媒物質が挟み込まれているので、長期間に亘って使用した場合でも光触媒物質が不織布の間から脱落したりしないので、良好な光触媒作用を保持することができる。
【００１２】
一方、請求項３に記載のアームバンドは、収納ケースの外面に塗布された蛍光塗料が夜間に発光するため、装着者が交通事故に巻き込まれる事態を効果的に防止することができる。
【発明を実施するための最良の形態】
【００１３】
以下、本発明のアームバンドについて、図面に基づいて詳細に説明する。図１、図２は、それぞれ、本発明に係るアームバンドの斜視図、分解斜視図である。アームバンド１は、長尺帯状の金属板３と、光触媒物質（二酸化チタン）を付着させた布状体４と、それらの金属片３および布状体４を収納する収納ケース２とによって構成されている。
【００１４】
金属板３は、約１５μｍの厚さを有する鉄板を切断することによって、長さが約２８５ｍｍで幅が約２５ｍｍの長尺な帯状に形成されている。また、図３は、アームバンド１の幅方向（長手方向と直交する方向）の断面を示したものであり、金属板３は、幅方向の断面が円弧状となるように全体が湾曲した状態になっている。
【００１５】
また、布状体４は、金属板３と略同一の大きさに形成されている。図４は、布状体４の鉛直断面を示したものであり、布状体４は、２枚の不織布シート４ａ，４ｂの間に、パウダー状の二酸化チタン（チタニア皮膜）６および二酸化チタンのペレット５，５・・を介在させてプレス（熱圧着）したものである。なお、上側の不織布シート４ａ、下側の不織布シート４ｂへの二酸化チタンのペレット５およびパウダー状の二酸化チタン６の付着は、金属またはセラミックスの表面に向けてチタンまたはチタン合金からなる粉体を高速で噴射し、金属等の表面と衝突して加熱した粉体を不織布シートに噴き付けることによってなされている。
【００１６】
一方、収納ケース２は、天然の皮革によって金属板３より一回り大きな（長さ３００ｍｍ×幅３０ｍｍ）長尺帯状に形成された外側部材２ａと、合成樹脂製の編み地（ニット）によって外側部材２ａと略同一の大きさに形成された下側部材２ｂとによって構成されている。
【００１７】
そして、アームバンド１は、図２、図３の如く、金属板３の下側（外向きに凸になっている面）に布状体４を重ね、それらの金属板３および布状体４を、上側部材２ａと下側部材２ｂとによって挟み込み、上側部材２ａと下側部材２ｂとを縫い合わせることによって形成されている。
【００１８】
かかるアームバンド１を使用する場合には、内部の金属板３の下面（外向きに凸面）が下側になるように片端縁を把持して、手首（あるいは足首）と交差するように適度な力で押し当てる。そのように手首（あるいは足首）に押し当てることによって、内蔵された金属板３が、円弧状を解消して平坦状に変形しつつ下面を内側にして弾力的に巻回するため、アームバンド１は、手首（あるいは足首）の周囲で、図５の如きコイル状となる。
【００１９】
上記の如く手首（あるいは足首）に装着されるアームバンド１は、光触媒物質（二酸化チタン５，６）を付着させた布状体４が収納ケース２に内蔵されているため、長期間に亘って使用した場合でも皮膚に悪影響を与えることがない。また、内蔵された光触媒物質と人体との密着度合いが変化せず、抗菌や血行の促進等の効果を効率良く発現させることが可能である。さらに、光触媒物質が収納ケース２に内蔵された状態になっているため、長期間に亘って使用した場合でも外観が悪化したりしない。加えて、アームバンド１は、内蔵された金属板３が、直線状の状態からコイル状の状態へ変化する板バネとして機能するため、内部の金属板３の下向きに凸な面が下向きとなるように片端縁を把持して、手首（あるいは足首）と交差するように適度な力で押し当てるだけで、手首（あるいは足首）の周囲に容易に装着することができる。さらに、アームバンド１は、内蔵された金属板３がコイル状となって手首や足首に装着されるものであるため、手首や足首の太さに関係なく、良好なフィット感を供与することができる（すなわち、アームバンド１は、所謂フリーサイズである）。
【００２０】
また、アームバンド１は、光触媒物質を付着させた布状体４が、２枚の不織布シート４ａ，４ｂを積層したものであり、それらの不織布シート４ａ，４ｂ同士の間に光触媒物質（二酸化チタン５，６）が挟み込まれた状態になっているので、長期間に亘って使用した場合でも光触媒物質が不織布シート４ａ，４ｂの間から脱落したりしないので、良好な光触媒作用を保持することができる。
【００２１】
なお、本発明のアームバンドの構成は、上記実施形態の態様に何ら限定されるものではなく、金属板、収納ケース、布状体等の形状・構造等の構成を、本発明の趣旨を逸脱しない範囲で、必要に応じて適宜変更することができる。
【００２２】
たとえば、収納ケースの素材は、上記実施形態の如き、天然皮革やニットに限定されず、織布や合成皮革等に変更することも可能である。また、収納ケースは、上記実施形態の如く、上側部材と下側部材との２つの部材によって構成されるものに限定されず、単一部材からなるものに変更することも可能である。さらに、光触媒物質を付着させる布状体は、上記実施形態の如き不織布に限定されず、織布や合成樹脂シート等に変更することも可能である。
【００２３】
また、収納ケースの外面には、各種の装飾を施したり、水性インキや油性インキにより名前等を書き込み可能な印刷を施したりすることも可能である。加えて、収納ケースの外面には、蛍光塗料や蓄光塗料を塗布することも可能である。そのように収納ケースの外面に蛍光塗料や蓄光塗料を塗布した場合には、塗布された蛍光塗料や蓄光塗料が夜間に発光するため、装着者が交通事故に巻き込まれる事態を効果的に防止することが可能となる。
【産業上の利用可能性】
【００２４】
本発明のアームバンドは、上記の如く優れた効果を奏するものであるから、健康の増進目的を兼ねた装身具として好適に用いることができる。
【図面の簡単な説明】
【００２５】
【図１】アームバンドの外観を示す斜視図である。
【図２】アームバンドを分解した状態を示す斜視図である。
【図３】アームバンドを幅方向に切断した断面図である。
【図４】不織布の鉛直断面を示す説明図である。
【図５】アームバンドの使用状態（コイル状に捲回した状態）を示す説明図である。
【符号の説明】
【００２６】
１・・アームバンド、２・・収納ケース、３・・金属板、４・・布状体、４ａ，４ｂ・・不織布シート、５・・光触媒物質（二酸化チタンのペレット）、６・・光触媒物質（パウダー状の二酸化チタン）。
【図１】
2008113966.tif 000003
【図２】
2008113966.tif 000004
【図３】
2008113966.tif 000005
【図４】
2008113966.tif 000006
【図５】
2008113966.tif 000007